(57)【要約】【課題】個人が中心視力の集中を維持した状態での個人の周辺視力のテスト及び／またはトレーニングを提供する。【解決手段】トレーニング及び／またはテスト用システムが、中心視力表示要素と、少なくとも一つの周辺視力表示要素と、中心視野表示物と周辺視野表示物に反応して前記個人から入力される入力を受け付ける少なくとも一つの入力装置と、中心視野表示物の表示と周辺視野表示物の表示とを制御し、入力装置からの入力を受け付けた入力が、前記中心視野表示物と表示される前記周辺視野表示物に正確に対応するかを判定する制御部とを備えることで、個人の周辺視力スキルが種々の条件や環境下でトレーニング及び／またはテストされて、周辺視力の改善可能な範囲が識別され、かつ／またはトレーニングされる。【選択図】図１【特許請求の範囲】
【請求項１】
個人の周辺視力のトレーニング及び／またはテスト用システムであって、
中心視野表示物を前記個人に提示する中心視力表示要素と、
周辺視野表示物を前記個人に提示する少なくとも一つの周辺視力表示要素と、
表示される中心視野表示物と表示される周辺視野表示物に反応して前記個人から入力される入力を受け付ける少なくとも一つの入力装置と
前記中心視力表示要素、前記周辺表示要素、及び前記入力装置と動作可能に接続され、中心視野表示物の表示と周辺視野表示物の表示とを制御する制御部であって、さらに、少なくとも一つの入力装置からの入力を受け付けて、当該受け付けた入力が、表示される前記中心視野表示物と表示される前記周辺視野表示物に正確に対応するかを判定するよう動作可能な制御部と、
を備えることを特徴とするシステム。
【請求項２】
前記中心表示要素は、表示装置の中心部を有し、前記周辺表示要素は、前記表示装置の周辺部を有する、請求項１に記載のシステム。
【請求項３】
前記少なくとも一つの入力装置は、中心入力装置と周辺入力機器とを有する、請求項１に記載のシステム。
【請求項４】
前記周辺入力機器と前記周辺表示装置はタッチセンサ式表示装置を有する、請求項３に記載のシステム。
【請求項５】
前記中心入力装置は、音声認識システムを有する、請求項４に記載のシステム。
【請求項６】
前記中心入力装置と前記中心表示要素は、マルチタッチ器機を有する、請求項３に記載のシステム。
【請求項７】
前記中心表示要素はタッチセンサ式表示装置の中心部を有し、
前記周辺表示要素は前記タッチセンサ式表示装置の周辺部を有し、
前記周辺入力機器は、前記タッチセンサ式表示装置を有する、
請求項３に記載のシステム。
【請求項８】
前記中心入力装置は、音声認識システムを有する、請求項７に記載のシステム。
【請求項９】
個人の周辺視力のトレーニング方法であって、
前記個人に、当該個人の視野の中心部に、それぞれが表示された状態で、複数の特徴のうち一つを有する中心視野表示物を表示するように構成された中心表示要素を提供するステップと、
前記個人に、当該個人の視野の周辺部に、それぞれが表示された状態で、複数の特徴のうち一つを有するような周辺視野表示物を表示するように構成された周辺表示要素を提供するステップと、
前記個人に、前記中心表示要素に表示される前記中心視野表示物が有する特徴に反応して当該個人が入力しうる複数の中心入力を受付けることが可能な中心入力装置を提供し、前記中心視野表示物の複数の特徴のそれぞれが複数の中心入力のうちの一つに対応するような、ステップと、
前記個人に、前記周辺表示要素に表示される前記周辺視野表示物が有する特徴に反応して当該個人が入力しうる複数の中心入力を受け付けることが可能に構成された周辺入力機器を提供し、前記周辺視野表示物の複数の特徴のそれぞれが複数の周辺入力のうちの一つに対応するような、ステップと、
一連の中心視野表示物を前記中心表示要素上に表示するのと同時に、一連の周辺視野表示物を前記周辺表示要素に表示し、前記表示される中心視野表示物と前記表示される周辺視野表示物のそれぞれが視覚的特徴を有するような、ステップと、
前記中心入力装置と前記周辺入力機器に対する前記個人からの入力を同時に受け付けるステップと、
前記中心入力装置に各入力が受け付けられたときに、前記中心入力装置に受け付けられた前記入力が前記中心表示要素に表示される前記中心視野表示の前記視覚的特徴に対応するかを判定するステップと、
前記周辺入力機器に各入力が受け付けられたときに、前記周辺入力装置に受け付けられた前記入力が前記周辺表示要素に表示される前記周辺視野表示の前記視覚的特徴に対応するかを判定するステップと、
前記中心入力が前記中心入力装置に受け付けられたときに前記中心表示要素に表示される前記中心視野表示物の前記視覚的特徴に対応すると判定された前記中心入力の数と、  前記周辺入力が前記周辺入力装置に受け付けられたときに前記周辺表示要素に表示される前記周辺視野表示物の前記視覚的特徴に対応すると判定された前記周辺入力の数とに基づき得点を計算するステップと、
前記計算された得点を出力するステップと、
を含むことを特徴とする方法。
【請求項１０】
個人に中心表示要素を提供することと個人に周辺表示要素を提供することが、個人に単一の表示装置を提供することを含み、当該単一の表示要素の中心部が前記中心表示要素を有し、当該単一の表示装置の周辺部が前記周辺表示要素を有する、請求項９に記載の方法。
【請求項１１】
前記提供される単一の表示装置が、タッチセンサ式表示装置を有し、周辺入力機器を提供することが前記タッチセンサ式表示装置を表示することを含む、請求項１０に記載の方法。
【請求項１２】
視覚的特徴を備えた周辺視野表示物を表示するステップが、前記タッチセンサ式表示装置の周辺部に空間的位置を有する視野表示物を表示するステップを有し、
前記周辺入力機器に対する前記個人からの入力を受け付けるステップが、前記タッチセンサ式表示装置への接触入力を受け付けるステップを有し、
前記周辺入力機器にて受け付けられた前記各入力が、当該周辺入力機器に当該各入力が受け付けられたときに前記周辺表示要素に表示される前記周辺視野表示物が備える前記視覚的特徴に対応するかを判定するステップが、受け付けられた接触入力と表示される周辺視野表示物の前記空間的位置との距離を決定するステップを有する、
請求項１１に記載の方法。
【請求項１３】
視覚的特徴を備えた中心視野表示物を表示するステップが、口頭で識別される視覚的特徴を備えた視野表示物を表示するステップを有し、
前記中心入力装置における個人からの入力を受け付けるステップが、発話識別システムにおける個人からの口頭の反応を受け付けるステップを有し、
前記中心入力装置にて前記受け付けられた各入力が、前記中心表示要素に前記各入力が受け付けられたときに前記中心表示要素に表示される前記中心視野表示物が備える視覚的特徴に対応するかを判定するステップが、前記音声認識システムにて受け付けられた前記口頭の反応が前記表示される中心視野表示物が備えた前記視覚的特徴と一致するかを判定するステップを有する、
請求項１２に記載の方法。
【請求項１４】
前記表示される中心視野表示物が、方向付けされたランドルトＣ環を有する、請求項１３に記載の方法。
【請求項１５】
中心表示要素を提供することと中心入力装置の提要することが、マルチタッチ器機を提供することを含む、請求項９に記載の方法。
【請求項１６】
特徴を備えた中心視野表示物を表示するステップが、方向付けを有する視野表示物を前記マルチタッチ器機に表示するステップを有し、
中心入力装置への入力を受け付けるステップが、前記マルチタッチ器機における方向付けされた接触を受け付けるステップを有し、
前記中心入力装置に受け付けられた前記入力が、それぞれ、前記中心視野表示物が有する前記特徴に対応するかを判定するステップが、前記受け付けられた、方向付けされた接触が前記表示される中心視野表示物の前記方向付けと一致するかを判定するステップを有する、請求項１５に記載の方法。
【請求項１７】
前記表示される中心視野表示物が、上、下、左または右の方向を有するランドルトＣ環をさらに備えた、請求項１６に記載の方法。
【請求項１８】
個人の視力のトレーニング及び／またはテスト方法であって、
複数の視覚的特徴を備えた主要な視野表示物を表示可能に構成され、前記個人が視認可能な主要な表示要素を提供するステップと、
複数の視覚的特徴のうち少なくとも一つを備えた複数の補助的な視野表示物を表示可能に構成され、前記個人に視認可能な補助的な表示要素を提供するステップと、
前記補助的な表示要素により表示されて前記個人が選択する少なくとも一つの補助的な視野表示物における入力を受け付け可能に構成され、前記個人が使用可能な、入力装置を提供するステップと、
前記主要な表示要素に表示される主要な視野表示物から選択された特徴を備えた第１の表示物のタイプを規定するステップと、
複数の視覚的特徴のうちの第１の視覚的特徴を備えた主要な視野表示物を表示するステップと、
それぞれが複数の特徴のうち一つを備えた複数の補助的な視野表示物であって、前記主要な視野表示物が備えた前記第１の視覚的特徴を有する複数の補助的な表示物のうち少なくとも一つを表示するステップと、
前記入力装置から少なくとも一つの入力を受け付けるステップと、
前記表示される主要な視野表示物と複数の補助的な視野表示物の特徴に対する入力のうち前記受け付けられた少なくとも一つの入力と、前記補助的な視野表示物がそれぞれ備えた前記視覚的特徴とを比較し、前記少なくとも一つの入力が、前記補助的な視野表示物のうち、前記主要な視野表示物に備えられた前記第１の視覚的特徴を備えた少なくとも一つの補助的な視野表示物に対応するかを判定するステップと、
を含むことを特徴とする方法。
【発明の詳細な説明】
【技術分野】
【０００１】
本発明は、個人の視力のトレーニング及び／またはテストに関し、より具体的には、個人の周辺視力、さらに具体的には中心視力を固定した状態での個人の周辺視力のトレーニング及び／またはテスト方法に関する。
【背景技術】
【０００２】
視力は、広範な種類の活動を行う個人にとって、成否を決する要因である。特に、多くのスポーツ活動において、参加者個人の視力が高いことが強く要求される。そうでないまでも、拮抗したスポーツの試合では、競技者やチームの優れた視力は、勝敗を決する重大な要因となる。しかしながら、測定が比較的簡単な典型的な視力テストは、中心視力などの視力を評価するものである。同様に、典型的な視力テストで識別される視力障害の典型的な矯正方法は、補正レンズを用いて個人の中心視力の明瞭さを改善するものである。スポーツの成功に必要な視力の多くは、中心視力の明瞭さだけではない広範なものである。たとえば、周辺視力などの視力がスポーツなどの活動において成否を決する要因となる。
【発明の概要】
【発明が解決しようとする課題】
【０００３】
本発明は、個人の周辺視力のトレーニング及び／またはテストのためのシステム及び方法を提供する。本発明は、さらに、個人が中心視力の集中を維持した状態での個人の周辺視力のテスト及び／またはトレーニングを提供する。
【課題を解決するための手段】
【０００４】
本発明は、個人の視野の中心部に中心視野表示物を表示する中心視力表示要素を用いる。本発明は、さらに、個人の視野の周辺部に周辺視野表示物を表示する一つ以上の周辺表示要素を提供する。中心表示要素と周辺表示要素は、単一の表示装置または多数の表示装置を有することができる。中心視力表示要素に表示される中心視野表示物と、周辺表示要素に表示される周辺視野表示物は、同じタイプの視野表示物であってもよいし、異なるタイプの視野表示物であってもよい。中心表示要素及び／または周辺表示要素に表示される視野表示物は、視覚的特徴を備えることができる。表示される視野表示物に対する個人による反応は、表示される視野表示物の個人が知覚した視覚的特徴に基づいてなされる。かかる入力は、入力装置を用いて行うことができる。さらに、表示される視野表示物は、一つ以上の属性を有する。属性は、たとえば、視野表示物が表示された表示要素における位置、視野表示物の輝度や色、または個人が表示される視野表示物を知覚する能力に影響を及ぼす他の属性や、表示物が備える特徴であってもよい。種々の属性を備えた視野表示物を用いることで、個人の周辺視力スキルが種々の条件や環境下でトレーニング及び／またはテストされて、周辺視力の改善可能な範囲が識別され、かつ／またはトレーニングされる。
【０００５】
以下では、次のような添付図面を参照して、本発明が詳細に説明される。
【図面の簡単な説明】
【０００６】
【図１】個人の周辺視力のトレーニング用及び／またはテスト用システムを示す図である。
【図２】個人の周辺視力のトレーニング用及び／またはテスト用の別のシステムを示す図である。
【図３】個人の周辺視力のトレーニング用及び／またはテスト用の別のシステムを示す図である。
【図４】個人の周辺視力のトレーニング用及び／またはテスト用の別のシステムを示す図である。
【図５】個人の周辺視力のトレーニング用及び／またはテスト用の別のシステムを示す図である。
【図６】個人の周辺視力のトレーニング用及び／またはテスト用の計算システムを示す図である。
【図７】個人の周辺視力のトレーニング用及び／またはテスト用の方法を示す図である。
【図８】個人の周辺視力のトレーニング用及び／またはテスト用の別の方法を示す図である。
【図９】個人の周辺視力のトレーニング用及び／またはテスト用の別の方法を示す図である。
【発明を実施するための形態】
【０００７】
ここで、図１を参照し、個人１５０の周辺視力のトレーニング及び／またはテスト用システム１００を示す。システム１００は、中心表示要素１１０と、周辺表示要素１２０を有する。中心表示要素１１０と周辺表示要素１２０は、表示装置１０５のさらに大きい領域を含む。図１に示す例では、表示装置１０５は、タッチセンサ式モニタを備えてもよい。図１の例に示すように、個人１５０は、表示装置１０５をタッチセンサ式入力装置として用い、周辺表示要素１２０に示される表示物（ｉｎｄｉｃｉａ）１２５などの周辺視野表示物に反応して、入力を登録することができる。図１に示す例では、中心表示要素１１０は、中心視野表示物１１５を表示する。この例の中心視野表示物１１５は、方向性（この例では、右向き）を特徴とするランドルトＣ環を有する。個人１５０は、中心視野表示物１１５とその特徴に対し、中心入力装置１４０（この例ではマイクロフォン）を用いて反応することができる。たとえば、個人１５０は、表示された中心視野表示物１１５に反応して、口頭で「右」と言うことで、表示された中心視野表示物１１５とその特徴を知覚したことを示すことができる。マイクロフォン１４０は、制御部１９０で動作する適切な音声識別ソフトウェアと組み合わせて動作することができる。制御部１９０は、接続１９２を介してマイクロフォン１４０と接続し、接続１９１を介して表示装置１０５と接続することができる。制御部１９０は、視覚的表示物の表示の制御、（この例では）マイクロフォンによる個人１５０の音声入力の受付けの制御、及び表示装置１０５による中心表示要素１１０と周辺表示要素１２０での視覚的表示物の表示の制御をするために、いかなるタイプの演算装置を有してもよい。この例では、制御部１９０は、タッチセンサ式表示装置１０５からの物理的接触の形態で入力を受け付けることができ、そして、受け付けた入力を表示した視野表示物の特徴と比較して、表示された表示物の特徴を個人１５０が正確に知覚したか否かを判定することができる。
【０００８】
図１をさらに参照すると、周辺視野表示物１２５は、周辺表示要素１２０の点（ドット）や他の活性化された領域を有してもよい。この例では、周辺視野表示物１２５は、表示装置１０５上の座標として、または、個人１５０との相対的な表示位置として規定される位置を特徴として有してもよい。個人１５０は、表示装置１０５画面上の表示された周辺視野表示物の位置に物理的に接触して周辺視野表示物１２５とその位置とに反応することができる。
【０００９】
図１は、本発明におけるシステム１００の一例を示すが、一方で、他の変形例も可能である。本発明のほかの可能な実施形態が以下で示される。ただし、本発明における個人の周辺視力のトレーニング及び／またはテストの適用の可能性は、決して、以下の実施形態にのみ限定されるものではない。
【００１０】
次に、図２を参照して、本発明におけるさらなるシステム２００について示す。図２に示す例では、中心表示装置と中心入力装置は、個人１５０が手に保持するマルチタッチ器機２１０を有する。図２に示す例では、マルチタッチ器機は、方向性（この例では、上向き）を特徴とするランドルトＣ環を表示する。個人１５０は、中心視野表示物２１５とその特徴を知覚したことを示すべく、マルチタッチ器機を上向きに振る（ストローク）ことで、中心視野表示物２１５に反応できる。マルチタッチ器機２１０は、無線接続２９２を介して制御部１９０と通信する。無線接続には、各種８０２．１１プロトコル、Ｂｌｕｅｔｏｏｔｈ（登録商標）、またはその他の無線通信プロトコルといった無線プロトコルを用いることができる。図２に示す例では、周辺表示要素は、表示装置２０５全体を備えてもよい。周辺視野表示物２２５は、この例では、アメリカンフットボールとして識別される特徴を備えることができる。個人１５０は、周辺視野表示物２２５の特徴（この例では「フットボール」）を口頭で言うことで、表示物に反応できる。ここでは周辺入力機器として機能するマイクロフォン１４０が個人１５０からの反応を受け付けることができ、また、個人１５０の反応の受付けに加えて、接続１９２を介して制御部１９０と連繋動作して、個人１５０の反応を適宜解析し、個人１５０が周辺視野表示物２２５とその表示物が備える特徴を正確に知覚したかを判定できる。図２に示す例では、周辺視野表示物２２５は、個人１５０の適切な反応を判定できる属性ではないにせよ個人の動作のトレーニング及び／またはテストの結果を解析するのに活用できる特徴とともに、この例ではアメリカンフットボールとして識別される特徴を備える。図２に示す本実施例において、周辺視野表示物の属性は、たとえば、表示装置２０５上の位置であってもよい。たとえば、システム２００を用いる周辺視力テストは、個人１５０が表示装置２０５の左上の象限に表示された周辺視野表示物を正確に知覚するのに、さらなる困難を伴うようにしてもよい。その後、個人１５０の周辺視力トレーニングは、表示装置２０５左上の象限に位置することを特徴とする周辺視野表示物を用いて、とりわけ、個人１５０周辺視力の向上に向けられてもよい。
【００１１】
次に、図３を参照して、個人１５０の周辺視力のトレーニング及び／またはテスト用のさらに別のシステム３００を示す。図３に示す例では、周辺表示要素が左側の表示装置３２２と右側の表示装置３２４とを備え、中心表示要素が中心表示装置３１０を備える。制御部１９０は、接続３９５を介しての左側の周辺表示要素３２２の視野表示物の表示を制御し、かつ、接続３９３を介しての右側の周辺表示要素３２４における視野表示物の表示を制御できる。同様に、制御部１９０は、中心表示要素３１０の視野表示物の表示を、接続３９１を介して制御するように動作できる。図３に示す例では、中心視野表示物３１５は特徴、この例では野球ボールと識別される特徴を有する。個人３５０は、表示される中心視野表示物３１５に対し、表示物３１５を「野球ボール」と口頭で識別することで、反応できる。図３の例では、中心入力装置は、制御部１９０と接続３９８を介して無線通信するヘッドセット及びマイクロフォン３４０を有する。上記の例に示すように、マイクロフォン３４０は、制御部１９０上で動作し主体１５０よる口頭での反応の受け付け、及び／または解析適切なソフトウェアと協働することができる。周辺表示要素、この例では左側の周辺表示要素３２２は、特徴（この例では上向きの方向）を有する周辺視野表示物３２５を表示できる。個人１５０は、周辺入力機器、この例では無線リンク３９２を介して制御部１９０と無線通信するジョイスティック３６０を用いることで、知覚した特徴に対し反応することができる。図３に示す例では、周辺視野表示物３２５は、個人１５０との相対的な位置などの視覚的属性を有してもよく、そして、これら及び他の視覚的属性は、たとえば、制御部１９０により個人１５０の周辺視力のトレーニング及び／またはテストに利用することができる。
【００１２】
次いで、図４を参照して、本発明における個人１５０の周辺視力のトレーニング及び／またはテスト用のさらに別のシステム４００について示す。一つのタッチセンサ式表示装置１０５が、中心表示要素１１０、周辺表示要素１２０、及び周辺入力機器を備えることができる。中心視野表示物４１５は、方向（図４に示す例では、左向きの方向付けである）を特徴として有するランドルトＣ環を備えてもよい。個人１５０は、個人１５０が知覚する中心視野表示物４１５とその特徴に対し、マイクロフォン１４０とこれに関連付けられ制御部１９０上で動作する音声認識ソフトウェアとを用いてその表示物の特徴を口頭で「左」と言うことで、反応することができる。周辺表示要素１２０は、種々の特徴を有する周辺視野表示物を表示できる。たとえば、第１の周辺視野表示物４２５は表示装置１０５上における個人１５０に対する特定の物理的位置、この例では個人１５０の右側の位置を特徴として有し、さらに、図４では表示物４２５が陰付きで示されるように、色などの特徴をさらに有する。第２の周辺視野表示物４２７は、第１の周辺視野表示物４２５とは異なる特徴を有してもよく、この例では、個人１５０に対する表示装置１０５上の異なる位置と、色付けされていないことである。本発明において、個人１５０は、表示された複数の周辺視野表示物に対し、周辺視野表示物ごとの１または複数の特徴に基づいて、選択的に反応することができる。たとえば、図４に示すように、個人１５０は、表示装置１０５第１の周辺視野表示物４２５の表示位置に物理的に触れることで、第１の周辺視野表示物４２５に反応するが、第２の周辺視野表示物４２７には反応しない。個人１５０の反応は、視野表示物の、色、それが何であるか（識別性）、位置などの特徴に基づいてなされる。正確な反応と不正確な反応の両方を、制御部１９０により記録して解析することができる。さらに、一つ以上の特徴を持つ複数の表示物が、中心表示要素１１０における中心視野表示物として表示されるが、かかるバリエーションは本例では省略する。
【００１３】
次いで、図５を参照して、個人１５０の周辺視力のトレーニング及び／またはテスト用のさらに別のシステム５００を示す。システム５００は、中心表示要素１１０と周辺表示要素１２０とを有する表示装置１０５を備えることができる。表示装置の中心表示要素１１０と周辺表示要素１２０における視野表示物の表示は、接続１９１を介して制御部１９０により制御される。表示装置１５０は、表示装置１５０の表面に接触することで個人により入力を登録できるようなタッチセンサ式モニタを有してもよい。図５に示す例では、中心視野表示物５１５は、中心表示要素１１０に表示される。中心視野表示物５１５は、特有の特徴を有し、ここに示す例では、配色の特徴が、第１の配色を示す陰付きで示される。複数の周辺視野表示物は、周辺表示要素１２０に表示される。複数の周辺視野表示物のそれぞれは、一つ以上の特徴を備えてもよく、この例では配色の特徴が影付きで示される。図５に示す例では、複数の周辺視野表示物は、第１の周辺視野表示物５２１と、第２の配色を有する第２の周辺視野表示物５３１と、いずれも第３の配色を有する第３の周辺視野表示物５２３及び第４の周辺視野表示物５２９と、さらに第４の配色を有する第５の周辺視野表示物５２７と、そして、中心視野表示物５１５と同じ特徴、この例では第１の配色を有する照合用の周辺視野表示物５２５と、を備える。図５の例に示すように、個人５５０は、表示装置１０５における照合用の周辺視野表示物５２５が占める位置に接触することで、照合用の周辺視野表示物５２５を選択する。複数の周辺視野表示物は、周辺表示要素１２０の異なる位置にそれぞれ異なるタイミングで表示が有効となり、最終的には同時に表示される。もちろん、中心視野表示物と照合用周辺視野表示物とで配色とは別の、または配色に加えてそのほかの共通の特徴を有してもよい。たとえば、識別性、方向、視覚パターン、その他の視覚的特徴が、中心視野表示物と照合用周辺視野表示物とに共有される。さらに、周辺視野表示物が照合用周辺視野表示物を有するようにするために、複数の特徴を中心視野表示物と周辺視野表示物とで共有することが必要となるようにしてもよい。さらなる例に示すように、周辺視野表示物は一つ以上の視覚的特徴を備えて表示され、その特徴は、複数の周辺視野表示物のうちどの表示物が照合用中心視野表示物の特徴を有するかを判断するために使用される。
【００１４】
次いで、図６を参照して、個人の周辺視力のトレーニング及び／またはテスト用のシステム及び方法と組み合わせて使用される計算環境６００を示す。環境６００は、種々の動作部を有する制御部６９０を備える。制御部６９０の各部は、処理部、記憶部、入出力インターフェース、及び他のタイプの装置に本発明の方法を実行させる適当なソフトウェアを備えるとよい。制御部６９０は、中心表示要素６１０、中心入力装置６１５、周辺表示要素６２０、及び周辺入力機器６２５のインターフェースを提供できる。もちろん、これらの要素は、省略されまたは上述の方法によって組合せてもよい。たとえば、中心表示要素６１０と周辺表示要素６２０は、たとえば、図１に示すように、単一の表示装置を備えてもよい。制御部６９０は、表示装置による表示物の表示を制御するように動作し、入力装置からの入力を受けることができる。制御部６９０は、中心視野表示物の表示を制御するために、中心表示要素６１０とのインターフェースをとる中心表示部６１２を有するとよい。中心表示部６１２は、中心視野表示物の表示に含まれる特徴、属性、差異等を制御することができる。周辺表示部６２２は、同様に、周辺表示要素６２０とのインターフェースをとり、周辺視野表示物の表示の制御、たとえば周辺視野表示物の特徴、属性、表示の差異等の制御を行う。中心表示要素６１０と周辺表示要素６２０が単一の表示装置上で異なる部位を有する例では、中心表示部６１２及び周辺表示部６２２を、任意に単一の要素として組み合わせたり、単一の要素の異なる部分としたりすることができる。
【００１５】
中心入力装置６１５は、中心入力部６１７に、中心視野表示物の特徴を知覚して識別する個人から入力を受けるためのインターフェースを提供でき、その入力は、個人が中心入力装置６１５に入力して制御部６９０に送られる。同様に、周辺入力機器６２５は、周辺入力部６２７に周辺視野表示物の特徴を知覚して識別する個人からの、その個人による入力を受けるためのインターフェースを提供できる。中心入力装置６１５及び／または周辺入力機器６２５は、タッチセンサ式スクリーン、マイクロフォン、ジョイスティック、その他の機構を有し、これにより個人は、表示された視野表示物が有すると個人が信じる特徴を識別するための入力を登録することができる。いくつかの状況下では、さらなる入力装置を用いることで、図５の例に示すように、中心表示物であれ周辺表示物であれ、一つのタイプの表示物が持つ特徴を他の表示物から識別したと判定するのに適切な反応を受けることができる。
【００１６】
プレゼンテーションプロトコル部６３０は、いかなる中心視野表示物を中心表示要素に中心表示部を介して表示するか、そしていかなるタイプの周辺視野表示物を周辺要素６２０に周辺表示部６２２を介して表示するかを決定できる。プレゼンテーション部６３０は、中心表示部６１２と周辺表示部６２２を介して表示する表示物のタイプと困難性を調整するためのインターフェースを採点部６４０に提供できる。採点部６４０は、中心入力装置６１５への入力を受け付けるインターフェースを中心入力部６１７に提供でき、周辺入力機器６２５からの周辺入力を受けるさらなるインターフェースを周辺入力部６２７に提供できる。採点部６４０は、受け付けた入力をプレゼンテーションプロトコル部６３０に表示された表示物のタイプと比較し、与えられた入力が、表示された視覚的表示物が有する一または複数の特徴を正確に識別しているかを判定できる。記憶部６５０は、得点や基本的な表示及び／または受け付けた入力に含まれる視野表示物の表示に関する入力情報を受け付け、あるいは、必要に応じて、これらを格納するためのインターフェースを採点部に提供できる。ネットワークインターフェース部６６０は、外部器機６７０に情報を提供するためのインターフェースを記憶部及び／または採点部６４０に提供できる。外部器機６７０は、外部サーバ、外部記憶装置、プリンタ、得点情報や他のデータをトレーナーや、眼科医、テスト及び／またはトレーニングを受けている個人への表示を行う外部モニタその他の表示装置などで、構成することができる。外部器機６７０は、外部器機６７０へのデータ送信と外部器機６７０からのデータ受信のために、ネットワークインターフェース部からアクセスすることができる。ネットワークインターフェース部６６０は、有線や無線による直接接続を介して、またはネットワーク経由での不特定数の中継装置を介して外部器機６７０からアクセスできる。
【００１７】
次いで、図７を参照して、個人の周辺視力のトレーニング及び／またはテストのための方法７００を示す。ステップ７０２では、個人が視認可能な中心表示要素が提供される。ステップ７０４では、個人が視認可能な周辺表示要素が提供される。ステップ７０６では、個人が操作できる中心入力装置が提供される。ステップ７０８では、個人が操作できる周辺入力機器が提供される。中心表示要素、周辺表示要素、中心入力装置、及び／または周辺入力機器は、前述の例のいずれかまたは表示機能を有する他の器機もしくはシステムを有する。方法７００では、中心視力トレーニング及び／またはテスト、ならびに周辺視力トレーニング及び／またはテストが同時並行的な方法ステップで実行できる。ただし、同時実行でなくてはならないというわけではない。
【００１８】
ステップ７１２では、中心視力トレーニング及び／またはテストのために、視覚的特徴を有する中心視野表示物が中心表示要素上に表示される。ステップ７１４では、中心入力装置を用いて入力が受け付けられる。ステップ７１４で受け付けられる入力は、ステップ７１２で表示される中心視野表示物の特徴との関係において、中心視野表示物の視覚的特徴のそれぞれがステップ７１４で受け付けられる入力と１対１で対応付けられるように定義される。ステップ７１６では、中心入力装置を用いて受け付けられる入力が、表示される中心視野表示物が有する特徴と比較され、入力が表示される中心視野表示物の特徴と正確に対応づけられているかが判定される。
【００１９】
中心視力トレーニング及び／またはテストのステップと同時に、周辺視力トレーニング及び／またはテストのステップが実行される。ステップ７２２では、特徴を有する周辺視野表示物が周辺表示要素上に表示される。ステップ７２４では、周辺入力機器を用いて入力が受け付けられる。ステップ７２４で受け付けられた入力は、ステップ７２２で表示される周辺視野表示物の特徴と１対１で対応付けられる。ステップ７２６では、受け付けられた入力が、表示される周辺視野表示物の特徴と比較され、入力と表示される表示物の特徴が正確に対応付けられたかが判定される。
【００２０】
方法７００では、その後、ステップ７３２に遷移し、中心視力トレーニング及び／またはテストと周辺視力トレーニング及び／またはテストの比較結果を別々に若しくは組合せで、またはいずれか一つを出力する。ステップ７３４では、比較結果がハードディスクドライブ、フラッシュメモリ、遠隔のデータベースなどの記憶装置に格納される。ステップ７３４では、表示される視野表示物を示す情報及び／または受け付けた入力を示す情報が、さらに格納される。たとえば、ステップ７３４では、表示物が表示されてから対応する入力が受け付けられるまでの時間といった、個人の反応速度の測定結果が格納される。表示される表示物の属性などのほかの情報も、ステップ７３４で格納される。
【００２１】
次いで、図８を参照して、個人の周辺視力のトレーニング及び／またはテストのためのさらに別の方法８００を示す。ステップ８０２では、視認可能な中心表示要素が個人に提供される。ステップ８０４では視認可能な周辺表示要素が個人に提供される。ステップ８０６では操作可能な中心入力装置が個人に提供される。ステップ８０８では操作可能な周辺入力機器が個人に提供される。
【００２２】
ステップ８１０では、一連の中心視野表示物が中心表示要素上に表示され、その一方で、一連の周辺視野表示物が周辺表示要素に同時に表示される。ステップ８１０では、表示される視野表示物が、視覚的特徴及び／または属性を有してもよい。ステップ８１０と同時に実行されるステップ８２０では、中心入力装置への一連の入力が受け付けられるとともに、周辺入力機器への一連の入力が受け付けられる。受け付けられた入力は、ステップ８２０で、個人により視野表示物が有すると知覚される視覚的特徴と対応付けられる。
【００２３】
ステップ８３０では、受け付けた入力を視野表示物に対応する視覚的特徴と比較して、個人の反応の正確さが判定される。ステップ８４０では、反応の正確さが、表示される視野表示物に対応する視覚的属性との関係において解析される。ステップ８４０では、たとえば、表示装置の特定の領域に表示され、特定の色、背景との特定のコントラスト、特定の時間差での表示、またはその他の特徴を有する表示物において、個人の反応の正確さが低下することが判定される。ステップ８５０では、正確さの情報が、オプションとして、ステップ８４０で実行される解析との組合せとして出力され、及び／または適切な記憶装置に格納される。
【００２４】
次いで、図９を参照して、個人の周辺視力のトレーニング及び／またはテストのためのさらなる方法を示す。ステップ９０２では、視認可能な中心表示要素が個人に提供される。ステップ９０４では、視認可能な周辺要素が個人に提供される。ステップ９０６では、操作可能な入力装置が個人に提供される。ステップ９０６で提供される入力装置は、中心入力装置または周辺入力機器であるとよい。ステップ９０６で提供される入力装置は、上記の図５との組合せにおいて、中心視野表示物に照合される周辺視野表示物を選択したように、個人が照合用視野表示物を選択するのに用いられる。しかしながら、本発明におけるシステムと方法は、表示される周辺視野表示物に対応する中心視野表示物を識別する個人の識別力のトレーニング及び／またはテストのために使用してもよい。
【００２５】
図９の例に示すように、方法９００では、３つのステップを概ね同時に実行することができる。ステップ９１０では、視覚的特徴を有する主要な視野表示物が主要な表示要素上に表示される。ステップ９２０では、それぞれ少なくとも一つの視覚的特徴を有する複数の補助的な視野表示物が、補助的な視覚表示要素上に表示される。補助的な表示要素上に表示される複数の補助的な視野表示物は、異なるタイミングで、あるいは同時に表示される。方法９００により、周辺視野表示物に対応しかつ照合する中心視野表示物の個人の識別力をトレーニング及び／またはテストするときには、ステップ９１０で、周辺視野表示物が表示され、一方、ステップ９２０で複数の中心視野表示物が表示される。しかしながら、ステップ９１０で中心視野表示物を表示し、一方、ステップ９２０で、図５で示した例のようなシステムを用いて複数の周辺視野表示物を表示してもよい。ステップ９３０では、個人が知覚する複数の補助的な視野表示物から少なくとも一つを選択する補助的な入力装置により、ステップ９１０から表示される主要な視野表示物との照合用に少なくとも一つの入力が入力される。ステップ９３０は、たとえば、タッチセンサ式スクリーンを用いて実行される。
【００２６】
方法９００は、以降、ステップ９４０に遷移する。ステップ９４０では、表示される主要な視野表示物が有する少なくとも一つの特徴に対しなされ受け付けられた入力と、表示される複数の補助的な視野表示物のそれぞれが備える少なくとも一つの視覚的特徴とが比較され、選択された補助的な視野表示物が表示される主要な視野表示物の特徴と正確に合致するかが判定される。方法９００はステップ９５０に遷移し、少なくとも一つの入力が正確に選択された合致する視野表示物かが出力及び／または格納される。
【００２７】
上述のことから、本発明は、上記の全ての結果及び目的を達成し、発明の構成から自明な他の効果及び構成に特有の他の効果を得ることに効果的に適合するものであることが理解されよう。
【００２８】
特定の特徴やその組合せは有用であり、その余の特徴やその組合せの如何によらず適用できることが理解されよう。このことは、請求項により、その範囲内で意図される。
【００２９】
本発明の範囲を逸脱しないような多数の実施形態が可能であるので、上述のまたは添付した図面に示されるすべての事項は、本発明の範囲を限定するものではなく、例示として理解されるべきである。
【図１】
2013510653.tif 000002
【図２】
2013510653.tif 000003
【図３】
2013510653.tif 000004
【図４】
2013510653.tif 000005
【図５】
2013510653.tif 000006
【図６】
2013510653.tif 000007
【図７】
2013510653.tif 000008
【図８】
2013510653.tif 000009
【図９】
2013510653.tif 000010
【国際調査報告】
2013510653.tif 000011